(57)【要約】【課題】高さ調整可能なスタンド脚であって、脚区分１，２に組み付けられた支柱３０が設けられており、該支柱３０が、外側異形材３と、該外側異形材３内にテレスコープ状に摺動可能に支承された、種々異なる位置で固定可能な内側異形材４とから形成されている形式のものを改良して、使用者がより多くの変化可能性を有するようにする。【解決手段】外側異形材３の内側輪郭が、横断面で見て、種々異なる内側異形材４の外側輪郭の横断面形状に、区分毎に次の形で適合されている、すなわち、種々異なる内側異形材４の、それぞれ周方向で離隔された少なくとも３つの外側輪郭区分４．１，４．２が、互いにずらされた少なくとも３つの内側輪郭区分３．１，３．２に横方向で傾倒不能に、所定の長さにわたって面状に支持されている形で適合されているようにした。【選択図】図１
2004308908.tif 000002
【特許請求の範囲】
【請求項１】
高さ調整可能なスタンド脚であって、脚区分（１，２）に組み付けられた支柱（３０）が設けられており、該支柱（３０）が、外側異形材（３）と、該外側異形材（３）内にテレスコープ状に摺動可能に支承された、種々異なる位置で固定可能な内側異形材（４）とから形成されている形式のものにおいて、外側異形材（３）の内側輪郭が、横断面で見て、種々異なる内側異形材（４）の外側輪郭の横断面形状に、区分毎に次の形で適合されている、すなわち、種々異なる内側異形材（４）の、それぞれ周方向で離隔された少なくとも３つの外側輪郭区分（４．１，４．２）が、互いにずらされた少なくとも３つの内側輪郭区分（３．１，３．２）に横方向で傾倒不能に、所定の長さにわたって面状に支持されている形で適合されていることを特徴とする、高さ調整可能なスタンド脚。
【請求項２】
横断面で見て、角状及び丸みを付けられた内側輪郭区分（３．１，３．２）が設けられており、種々異なる内側異形材（４）に、前記内側輪郭区分（３．１，３．２）に適合する角状及び丸みを付けられた外側輪郭区分（４．１）が設けられている、請求項１記載のスタンド脚。
【請求項３】
少なくとも３つの角状の内側輪郭区分（３．２）と少なくとも３つの丸みを付けられた内側輪郭区分（３．１）とが設けられており、これらの内側輪郭区分において、少なくとも２つの異なる内側異形材（４）が案内可能になっており、該内側異形材（４）の内の一方が、少なくとも３つの適合する角状の外側輪郭区分（４．２）を有しており、他方が、少なくとも３つの適合する丸みを付けられた外側輪郭区分を有している、請求項１又は２記載のスタンド脚。
【請求項４】
外側異形材（３）の内側輪郭の互いに向かい合った２つの側に、長手方向に延びる保持溝（３．４）が設けられており、複数の内側輪郭区分（３．１）が円軌道上に位置しており、内側異形材（４）が、円形の横断面を備えており、内側異形材（４）を通って、該内側異形材（４）の外側を越えて両側に突出する少なくとも１つの横方向ピン（４．４）が案内されており、該横方向ピン（４．４）が、内側異形材（４）が挿入された状態で、両方の終端区分によって保持溝（３．４）内に係合している、請求項１から３までのいずれか１項記載のスタンド脚。
【請求項５】
外側異形材（３）の内側輪郭に、長手方向に延びる、横断面で見て方形の又はＴ字形のクランプ溝（３．３）が設けられており、該クランプ溝に、クランプエレメント（６）が支承されており、該（６）クランプエレメントが、外側に配置されたクランプレバー（５）の、内側異形材（４）を外側異形材（３）内に固定するために外側異形材（３）のねじ孔（３．５）を通って案内されたねじピンによって、横方向に調整可能になっている、請求項１から４までのいずれか１項記載のスタンド脚。
【請求項６】
クランプエレメント（６）が、クランプ溝（３．３）に支承されたクランププレート区分（６．１）と、挿入された状態で外側異形材（３）の上側の端面に接触する保持突起（６．２）とを有している、請求項５記載のスタンド脚。
【請求項７】
内側異形材（４）の上側の終端範囲に、水平方向の軸線を中心として傾倒可能なヘッド部分（７）が取り付けられており、このヘッド部分（７）が、種々異なる傾斜位置で、別のクランプレバー（８）によって固定可能になっている、請求項１から６までのいずれか１項記載のスタンド脚。
【請求項８】
内側異形材（４）が、上方向運動を支援するためにガスばね（１０）に連結されており、さらにこのガスばね（１０）が、脚区分（１，２）に結合されている、請求項１から７までのいずれか１項記載のスタンド脚。
【請求項９】
脚区分が、底プレート（１）を有しており、該底プレート（１）に、鉛直方向に上方へ向かって突出した支持部（２）が取り付けられており、支柱（３０）の外側異形材（３）が、前記支持部（２）に被せ嵌められており、かつ該支持部（２）に固定されている、請求項１から８までのいずれか１項記載のスタンド脚。
【発明の詳細な説明】
【技術分野】
【０００１】
本発明は、高さ調整可能なスタンド脚であって、脚区分に組み付けられた支柱が設けられており、この支柱が、外側異形材と、この外側異形材内でテレスコープ状に摺動されるように支承された、種々異なる位置で固定可能な内側異形材とから形成されている形式のものに関する。
【背景技術】
【０００２】
この形式の高さ調整可能なスタンド脚が、例えば、ドイツ連邦共和国特許第１９５４０４４３号明細書に記載の、曲げ剛性的な中空異形材から成る長さ変更可能な支持エレメントにより形成され得る。この場合、内側異形材は外側異形材内でテレスコープ状に摺動可能に支承されている。内側異形材は、手により調整可能なクランププレートによって、外側異形材内で、無段階的に種々異なる調整位置で固定することができる。この公知の長さ変更可能な支持エレメントでは、内側異形材は正方形の横断面を有しており、この横断面に適合する、ほぼ正方形の横断面を有する外側異形材の内側中空室で支承されている。
【特許文献１】ドイツ連邦共和国特許第１９５４０４４３号明細書
【発明の開示】
【発明が解決しようとする課題】
【０００３】
そこで本発明の課題は、冒頭に述べた形式の高さ調整可能なスタンド脚を改良して、使用者がより多くの変化可能性を有するようにすることである。
【課題を解決するための手段】
【０００４】
この課題を解決した本発明の手段によれば、外側異形材の内側輪郭が、横断面図で見て、種々異なる内側異形材の外側輪郭の横断面形状に、区分毎に次の形で適合されている、すなわち、種々異なる内側異形材の、それぞれ周方向で離隔された少なくとも３つの外側輪郭区分が、互いにずらされた少なくとも３つの内側輪郭区分に、横方向で傾倒不能に、所定の長さにわたって面状に支持されているように適合されている。
【０００５】
このような手段により、簡単な形式で種々異なる構成変化形がもたらされ、この場合に、使用者も種々異なる横断面を備えた様々な内側異形材を挿入することができ、これらの内側異形材には、使用者は、例えば自身の必要性に応じて種々異なるヘッド部分を設けることができる。
【０００６】
この場合、種々異なる形の内側異形材のための有利な構成は次のことにある。すなわち、横断面で見て角状及び丸みを付けられた内側輪郭区分が設けられており、様々な内側異形材には、前記内側輪郭区分に適合する角状及び丸みを付けられた外側輪郭区分が設けられている。これらの丸みを付けられた内側輪郭区分が円区分状に円軌道に配置されている場合、内側異形材を鉛直方向の軸線を中心として回転させることも可能である。これに対して、角状の輪郭区分は、鉛直方向の軸線を中心とした回転が望ましくない場合に用いることができる。
【０００７】
有利な１構成によれば、少なくとも３つの角状の内側輪郭区分と少なくとも３つの内側輪郭区分が設けられており、これらの内側輪郭区分において、少なくとも２つの異なる内側異形材が案内可能になっており、これらの内側異形材の内の一方が、少なくとも３つの適合する角状の外側輪郭区分を有しており、他方が、少なくとも３つの適合する湾曲した外側輪郭区分を有している。
【０００８】
外側異形材の内側輪郭には互いに向かい合った２つの側に長手方向に延びる保持溝が設けられており、複数の内側輪郭区分が円軌道上に位置しており、内側異形材が円形の横断面を備えており、内側異形材を通って、この内側異形材の外側を越えて両側に突出した少なくとも１つの横方向ピンが案内されており、この横方向ピンが、内側異形材が挿入された状態で、両方の終端区分によって保持溝内に係合している場合、円形の横断面を備えた内側異形材を簡単な形式で回転不能に挿入することもできる。
【０００９】
内側異形材は、次のことにより、外側異形材に簡単にかつ安定的に望ましい高さ位置に固定することができる。すなわち、外側異形材の内側輪郭には、長手方向に延びる、横断面で見て方形の又はＴ字形のクランプ溝が設けられており、このクランプ溝にはクランプエレメントが支承されており、このクランプエレメントは、外側に配置されたクランプレバーの、内側異形材を外側異形材内に固定するために外側異形材のねじ孔を通って案内されたねじピンによって、横方向に調整可能になっている。
【００１０】
この場合、有利な構成によれば、クランプエレメントは、クランプ溝に支承されたクランププレート区分と、挿入された状態で外側異形材の上側の端面に接触する保持突起とを有している。このことにより、クランプエレメントは簡単に挿入可能であり、クランプ溝内で滑り落ちる恐れなしに正確な位置に保持される。
【００１１】
内側異形材のための有利な構成は、この内側異形材の上側の終端範囲に水平方向の軸線を中心として傾倒可能なヘッド部分が取り付けられており、このヘッド部分が、種々異なる傾斜位置で別のクランプレバーによって固定可能になっていることによりもたらされる。
【００１２】
スタンド脚の、内側異形材の確実な案内に関連した別の有利な構成では、内側異形材は、上方向運動を支援するためにガスばねに連結されており、さらにこのガスばねは脚区分に結合されている。
【００１３】
スタンド脚の簡単で安定的な構成は、さらに次のことにより有利に行われる。すなわち、脚区分が底プレートを有しており、この底プレートには、鉛直方向に上方へ向かって突出した支持部が取り付けられており、支柱の外側異形材は支持部に被せ嵌められており、この支持部に固定されている。
【発明を実施するための最良の形態】
【００１４】
次に本発明の実施例を図面につき説明する。
【００１５】
図１に示した高さ調整可能なスタンド脚が、単一部材から成る平坦な底プレート１と、この底プレート１の中央に取り付けられた垂直方向の支持部２とを有しており、この支持部２には、この支持部２の形状に適合する内側横断面を有する、被せ嵌められた外側異形材３が固定されている。外側異形材３は、高さ調整可能な支柱３０の構成部材であり、この支柱３０は、さらなる構成部材として、外側異形材３内に差し込まれた、この外側異形材３内でテレスコープ状に高さ調整可能な内側異形材４を有している。この内側異形材４は、上側の終端範囲に取り付けられたヘッド部材７を有しており、このヘッド部材７は、水平線方向の軸線を中心として傾斜可能なプレート状の収容エレメント９を備えている。内側異形材４は、外側異形材３内で連続的に高さ調整することができ、クランプ機構によって望ましい高さで固定することができるようになっており、このクランプ機構は、手で操作可能なクランプレバー５と、このクランプレバー５によって、長手方向軸線に対して横方向に調整可能なクランプエレメント６とを有している。収容エレメント９を望ましい傾斜位置で固定するためには、別のクランプレバー８が設けられている。プレート状の収容エレメント９は、装置ケーシング又は載置プレートを取り付けるための複数の固定孔９．１並びに別の複数の固定孔を有している。
【００１６】
図２ａ、図２ｂ及び図２ｃから判るように、外側異形材３は、横断面図で見て種々異なる内側輪郭区分３．１，３．２を有しており、これらの内側輪郭区分３．１，３．２は、様々な内側異形材４の種々異なる外側輪郭区分４．１，４．２に適合しており、内側異形材４は、少なくとも３つの側の側方で次のように支持されている、すなわち、内側異形材４が、傾倒防止されて、長手方向に安定的に摺動可能に案内されており、この場合、長さ方向に見て、内側輪郭区分３．１，３．２及び相補的な外側輪郭区分４．１，４．２により、面状の案内区分が生じる。なぜならば、外側異形材３の横断面はこの外側異形材の長さにわたって等しく保たれているからである。
【００１７】
図２ａによる実施例では、外側異形材３の内側輪郭は、丸みを付けられた内側輪郭区分３．１並びに角状の（角ばった）内側輪郭区分３．２を有しており、この場合、丸みを付けられた内側輪郭区分３．１は、互いに離隔されて円軌道上に位置しており、かつ対応する円軌道に位置する、丸みを付けられた互いに関連し合う外側輪郭区分４．１を備えた、横断面で見てほぼ円形状の内側異形材４を種々異なる側で取り囲んでおり、これにより、外側異形材３内での内側異形材４の、周全体にわたって傾倒防止された支持が生じる。例えば、より大きい４つの内側輪郭区分３．１とより小さい２つの内側輪郭区分３．１とが存在し、これらの内側輪郭区分３．１は、傾倒防止された支持を保証するために内側異形材４の周囲に１８０°以上分にわたって分配されている。内側異形材４は、向かい側に位置する２つの長手方向側でのみ面取りされており、内側には長手方向に延びるねじ通路４．３を有しており、これにより、これらのねじ通路４．３の端面側に、ヘッド部分７の組付けエレメントが組み付けられるようになっている。この実施例では、内側異形材４は鉛直方向若しくは長手方向に延びる軸線を中心として、外側異形材３内で回転させることができるようになっている。鉛直方向の軸線を中心とした回転を防止することが望ましい場合には、図４に対応して、内側異形材４を通って横方向ピン４．４が案内されるようにすることができ、この横方向ピン４．４は、例えば内側異形材４の外側を越えて両側に突出しており、かつ外側異形材３の内側輪郭内に形成された両側の保持溝３．４内に突入する。
【００１８】
図２ｂに示したように、内側異形材４としては、円形状の横断面を有する単純な管状異形材を使用することもでき、この管状異形材の外側輪郭区分４．１は、図２ａによる内側異形材４のように、対応する形式で丸みを付けられた内側輪郭区分３．１により、傾倒防止されて、滑るように案内されながら支持されている。この場合にも、図２ａによる実施例の場合のように、図４に対応して、横方向ピン４．４による回転止めが設けられる。
【００１９】
図２ｃによる実施例では、外側異形材３内に、ほぼ正方形の内側異形材４が挿入されており、この場合、外側異形材３の内側輪郭に形成された４つの角状の内側輪郭区分３．２が、内側異形材４の角範囲を取り囲む形で、内側異形材４の傾倒防止された、滑るように案内された支承のために使用される。同様に、外側異形材３には、別の角状内側輪郭区分が形成されていてもよく、これにより、例えば横断面で見て方形、三角形又は別の多角形の内側異形材４が案内されるように収容される。
【００２０】
丸みを付けられた内側輪郭区分３．１は、円形区分形状に形成されていて、かつ円軌道上に位置している必要はなく、例えば横断面で見て楕円形の内側異形材に適合していてよい。
【００２１】
図３及び図４が、図２ａ、図２ｂ及び図２ｃとの関連で示しているように、外側異形材３の内側輪郭には、さらに有利には、内側へ向かって設けられた開口を備えたＴ字形のクランプ溝３．３が形成されており、この溝３．３には、内側異形材４を望ましい高さ調整位置に固定するためのクランプ機構のクランプエレメント６が挿入されている。このクランプエレメント６のクランププレート区分６．１は、クランプ溝３．３内に位置しており、外側異形材３の上側の端面に、外側方向に突出する保持突起６．２によって、クランプ溝３．３内での滑り落ちに抗して確実に保持されている。クランププレート区分６．１の範囲、特にこのクランププレート区分６．１に設けられた、クランプエレメント６の保持孔６．３の範囲には、外側異形材３内に横方向に延びるねじ孔３．５が設けられており、このねじ孔３．５には、クランプレバー５のねじピン５．１がねじ込まれており、このねじピン５．１の、わずかな直径の終端範囲は、前記保持孔６．３内に突入しており、ねじピン５．１のフランジ状の段部は、クランププレート区分６．１の外側に接触しており、これにより、クランプエレメント６は、ねじピン５．１のねじ込み時に内側方向へ調整され、内側異形材４は外側異形材３内でクランプ固定される。
【００２２】
図５に示した構成では、内側異形材４はガスばね１０によって脚区分で支持されており、これにより、収容エレメント９及びこの収容エレメント９上に位置する物体若しくは装置を備えた内側異形材４を持上げることは簡単に可能である。ガスばね１０は、一方では、少なくとも１つの固定ピン１１によって中空の内側異形材４内に固定されており、他方では、少なくとも１つの別の固定ピン１２によって中空の支持部２内に固定されており、これにより、簡単な組付けがもたらされる。下側の端面を底プレート１で支持されている外側異形材３も、簡単な形式で、固定ピン若しくはねじによって支持部２に固定することができる。
【図面の簡単な説明】
【００２３】
【図１】高さ調整可能な支柱を備えたスタンド脚の斜視図である。
【００２４】
【図２】等しい外側異形材と種々異なる内側異形材とを備えた、図１による支柱の横断面図である。
【００２５】
【図３】支柱のクランプ範囲のクランプ部材を分解して示す斜視図である。
【００２６】
【図４】支柱のクランプ範囲の横断面図である。
【００２７】
【図５】ガ  スばねを備えた支柱を部分的に分解して示す斜視図である。
【符号の説明】
【００２８】
１  底プレート、    ２  支持部、    ３  外側異形材、３．１，３．２  内側輪郭区分、３．３  クランプ溝、    ３．４  保持溝、    ３．５  ねじ孔、    ４  内側異形材、４．１，４．２  外側輪郭区分、４．３  ねじ通路、    ４．４  横方向ピン、    ５  クランプレバー、    ５．１  ねじピン、    ６  クランプエレメント、６．１  クランププレート区分、    ６．２  保持突起、    ６．３  保持孔、    ７  ヘッド部分、    ８  クランプレバー、    ９  収容エレメント、    ９．１  固定孔、    １０  ガスばね、    １１  固定ピン、    １２  固定ピン
【図１】
2004308908.tif 000003
【図２】
2004308908.tif 000004
【図３】
2004308908.tif 000005
【図４】
2004308908.tif 000006
【図５】
2004308908.tif 000007